(57)【要約】【課題】非常用電源の起動に伴う車両の燃費の悪化を防止するもの。【解決手段】バッテリー１１に接続される入力端１６から電源供給を受けるとともに電気二重層コンデンサ１７の充電側に接続された充電回路１８と、電気二重層コンデンサ１７の放電側に接続された放電回路１９と、放電回路１９側をアノード側として放電回路１９の出力側に接続された加算ダイオード２０と、一方がこの加算ダイオード２０の出力側に接続されるとともに他方が車両の衝突検出手段１３に接続される非常用電力出力部２１と、入力端１６と放電回路１９の出力電圧とを比較したうえでこの出力電圧を制御する比較制御部２２とを備え、比較制御部は、バッテリーが正常時である場合においては放電回路の出力電圧を入力端の電圧よりも低くさせるとともに、バッテリーが非常時となった場合においては放電回路の出力電圧を衝突検出手段の動作電圧以上として非常用電力出力部へ出力させるもの。【選択図】図１
2014033533.tif 000002
【特許請求の範囲】
【請求項１】
バッテリーに接続される入力端から電源供給を受けるとともに電気二重層コンデンサの充電側に接続された充電回路と、
前記電気二重層コンデンサの放電側に接続された放電回路と、
この放電回路側をアノード側として前記放電回路の出力側に接続された加算ダイオードと、
一方がこの加算ダイオードのカソード側に接続されるとともに他方が車両の電装品制御手段および前記バッテリーに接続される非常用電力出力部と、
前記入力端と前記放電回路の出力電圧とを比較したうえでこの出力電圧を制御する比較制御部とを備え、
前記比較制御部は、
前記バッテリーが前記入力端に接続状態である場合においては前記放電回路の出力電圧を前記入力端の電圧よりも低くさせ、
前記バッテリーが前記入力端に非接続状態となった場合においては前記放電回路の出力電圧を前記電装品制御手段の動作電圧以上として非常用電力出力部へ出力させるバックアップ電源装置。
【請求項２】
入力端の電圧が電装品制御手段の動作電圧以上である場合をバッテリーと入力端とが接続状態とし、
入力端の電圧が電装品制御手段の動作電圧以下である場合をバッテリーと入力端とが非接続状態とした請求項１に記載のバックアップ電源装置。
【請求項３】
バッテリーと入力端とが接続状態である場合においては、放電回路の出力電圧を入力端の電圧よりも常に一定の電位差を維持して低くさせた請求項２に記載のバックアップ電源装置。
【請求項４】
バッテリーと入力端とが接続状態である場合においては放電回路の出力電圧を、一定値でかつ電装品制御手段の動作電圧よりも低くさせた請求項２に記載のバックアップ電源装置。
【請求項５】
比較制御部はバッテリーへの接続状態から非接続状態へと移行する際に、
放電回路の出力電圧を入力端の電圧よりも低くさせる動作を停止させるとともに、
前記放電回路の出力電圧を電装品制御手段の動作電圧以上として非常用電力出力部へ出力させる請求項３もしくは請求項４に記載のバックアップ電源装置。
【請求項６】
バッテリーに非接続状態となった場合においては放電回路の出力電圧を前記バッテリーが接続状態であった際の入力端の電圧と同等とさせたうえで非常用電力出力部へ出力させる請求項５に記載のバックアップ電源装置。
【請求項７】
請求項１から６の何れかに記載のバックアップ電源装置を車内に配置し、
前記バックアップ電源の入力端および非常用電力出力部にバッテリーを接続し、
前記非常用電力出力部に電装品制御手段および非常時用スイッチを接続した自動車。
【請求項８】
非常時用スイッチはドアロック解除用スイッチとした請求項７に記載の自動車。
【発明の詳細な説明】
【技術分野】
【０００１】
本発明は、車両におけるバッテリーからの電源供給が絶たれた場合に、一時的に動作が必要な電装品を機能させるためのバックアップ電源装置に関するものである。
【背景技術】
【０００２】
近年、車両の走行中における安全性を踏まえ、走行車両が２０ｋｍ／ｈなどの所定速度に達すると自動的にドアをロックするオートドアロックが普及し、走行中にドアが開くなどの不慮の事故を防ぐ方策がとられている。この一方で、車両が事故に遭遇した際においてはドアロックが自動的に解除される機能が備えられているものの、バッテリーからの電源供給が絶たれるとドアロックの自動解除ができず、この結果として外部からドアを開けての搭乗者の救助が困難となる状況に陥る可能性があるものであった。
【０００３】
これに対しては、バッテリーからの電源供給が絶たれても一時的に電装品の動作を可能とするバックアップ電源装置が製品化されている。例えば図３の従来のバックアップ電源装置の回路構成図で示すように、バッテリーからの電源供給が絶たれた際の非常時のドアロック解除への対応が行われている。従来のバックアップ電源装置は、バッテリー１に対して通常電力供給ライン２とバックアップ電源装置３とが並列に接続され、通常電力供給ライン２とバックアップ電源装置３との双方から衝突センサーユニット４へ電源供給が行われるとともに、通常電力供給ライン２およびバックアップ電源装置３のそれぞれの出力端がドアロック解除スイッチ５の入力端子６に接続されていた。
【０００４】
そして、車両に対する衝撃を感知するなどにより衝突センサーユニット４で車両の衝突が生じたと判断した場合には衝突センサーユニット４からドアロック解除スイッチ５に対してドアロック解除信号が発信され、このドアロック解除信号に応じてドアロック解除スイッチ５が接続状態とされることによりドアロック解除が行われるものであった。
【０００５】
なお、この出願の発明に関する先行技術文献情報としては例えば特許文献１が知られている。
【先行技術文献】
【特許文献】
【０００６】
【特許文献１】特開平７−２６９２０８号公報
【発明の概要】
【発明が解決しようとする課題】
【０００７】
しかしながら従来のバックアップ電源装置は、衝突センサーユニット４などの電装品へ常に電源を供給しようとするために、バッテリー１の電圧が変動（一般的には低下）してバックアップ電源装置３の出力電圧よりも低くなる度にバックアップ電源装置３の出力電流が消費され、充電用電圧変換器７や放電用電圧変換器８が頻繁に充電や放電を繰り返すこととなる。つまり、図４の従来のバックアップ電源装置の動作波形図に示すように、バックアップ電源電圧ＶＢ０を閾値として、この値をバッテリー電圧ＶＢ１が下回る度にバックアップ電流ＩＢ０が流れることとなる。そしてこの動作はその都度図３に示す衝突センサーユニット４への電力供給を行うことであるため、これに伴ってオルタネータ９からバックアップ電源装置３へ相当分の電力供給が行われることにもなる。ここで、非常時以外におけるバックアップ電源装置３による電力供給は、衝突センサーユニット４を動作させるにあたって必ずしも必要なものではなく、また、これに伴うオルタネータ９の発電はエンジンに対する負荷となるため、その結果として不必要な動作を行うがために車両の燃費悪化を生じるという課題を有するものであった。
【０００８】
そこで本発明はバックアップ電源での不必要な動作に伴う電力消費を抑えることで車両の燃費悪化を抑制することを目的とするものである。
【課題を解決するための手段】
【０００９】
そしてこの目的を達成するために本発明のバックアップ電源装置は、バッテリーに接続される入力端から電源供給を受けるとともに電気二重層コンデンサの充電側に接続された充電回路と、前記電気二重層コンデンサの放電側に接続された放電回路と、この放電回路側をアノード側として前記放電回路の出力側に接続された加算ダイオードと、一方がこの加算ダイオードのカソード側に接続されるとともに他方が車両の電装品制御手段に接続される非常用電力出力部と、前記入力端と前記放電回路の出力電圧とを比較したうえでこの出力電圧を制御する比較制御部とを備え、前記比較制御部は、前記バッテリーが接続状態であると判断した場合においては前記放電回路の出力電圧を前記入力端の電圧よりも低くさせ、前記バッテリーが非接続状態となったと判断した場合においては前記放電回路の出力電圧を前記電装品制御手段の動作電圧以上として非常用電力出力部へ出力させる構成としたものである。
【発明の効果】
【００１０】
以上のように本発明によるバックアップ電源装置は、衝突などでバッテリーから電装品への電源供給が絶たれた場合には、安全を確保するための電装品を動作させるのに十分な電源を供給するものである。これと共に、車両の通常動作中では各種電装品の負荷などによりバッテリーの電圧変動、特に低下が生じた場合であっても充電回路や放電回路の動作は行われないよう制限するものである。したがって、事故などに伴うバッテリーの喪失時以外においては、蓄電手段として設けられた充電回路や放電回路から電力供給の動作をさせることはなく、車両側のオルタネータの起動に伴う不必要な電力消費を抑えることとなる。これにより、車両の燃費の悪化を防止することが可能となるものである。
【図面の簡単な説明】
【００１１】
【図１】本発明のバックアップ電源装置の回路接続図
【図２】本発明のバックアップ電源装置の動作波形図
【図３】従来のバックアップ電源装置の回路接続図
【図４】従来のバックアップ電源装置の動作波形図
【発明を実施するための形態】
【００１２】
以下、本発明の一実施形態について添付図面を用いて説明する。
【００１３】
（実施の形態）
図１は車両内に設置したバックアップ電源装置の回路接続図であり、ここでは以下のようにバックアップ電源装置１０を非常時のドアロック解除のために適用したものを一例として説明する。
【００１４】
バックアップ電源装置１０の入力側には、バッテリー１１およびオルタネータ１２が接続されているとともに、出力側には車両の衝突時にドアロック解除信号を発信する衝突検出手段１３と、衝突検出手段１３からの信号を受けて強制的にドアロックの解除を行うためのドアロック解除スイッチ１４が接続されている。また、衝突検出手段１３とドアロック解除スイッチ１４とにはバッテリー１１が接続された状態ともなっている。そして、車両の衝突時などにバッテリー１１から衝突検出手段１３やドアロック解除スイッチ１４への電源供給が途絶えた際には、バックアップ電源装置１０からドアロック解除スイッチ１４を通じてドアロック解除のためにモータ１５へ電力が供給されることとなる。
【００１５】
ここでバックアップ電源装置１０は、バッテリー１１に接続される入力端１６から電源供給を受けるとともに電気二重層コンデンサ１７から見て充電側に接続された充電回路１８と、電気二重層コンデンサ１７から見て放電側に接続された放電回路１９と、放電回路１９側をアノード側として放電回路１９の出力側に接続された加算ダイオード２０と、一方が加算ダイオード２０のカソード側に接続されて他方が衝突検出手段１３およびバッテリー１１に接続されるバックアップ電力出力部２１と、入力端１６の電圧と放電回路１９の出力電圧とを比較したうえでこの出力電圧を制御する比較制御部２２とを備えている。
【００１６】
次に、バックアップ電源装置１０および、このバックアップ電源装置１０に接続されたバッテリー１１、オルタネータ１２、衝突検出手段１３、ドアロック解除スイッチ１４およびモータ１５の動作について説明する。
【００１７】
ここで、第１の制御状態のバッテリー１１が入力端１６および衝突検出手段１３やドアロック解除スイッチ１４に接続状態である場合、つまり、車両が正常に動作している場合において、比較制御部２２は放電回路１９の出力電圧を入力端１６の電圧よりも常に一定の電位差を維持させたうえで低くさせるように放電回路１９で電気二重層コンデンサ１７の有する電圧を昇圧させる動作を制御している。
【００１８】
また、第２の制御状態のバッテリー１１が入力端１６あるいは衝突検出手段１３やドアロック解除スイッチ１４に非接続状態となった場合、つまり、車両の事故などによりバッテリー１１が遮断された非常時の場合などにおいて、比較制御部２２は放電回路１９の出力電圧を車両が正常に動作していた際の入力端１６の電圧と同等とさせるように制御している。あるいは、衝突検出手段１３をはじめとする制御用電装品などの電装品制御手段の動作が可能となる電圧値以上の出力電圧となるように、比較制御部２２は放電回路１９を制御している。
【００１９】
つまり、車両が正常に動作している場合において、放電回路１９の出力はバッテリー１１の電圧よりも低く設定されていたものが、バッテリー１１が遮断されたことなどにより、放電回路１９の出力は正常であったときのバッテリー１１の電圧と同等な水準までに昇圧される、あるいは放電回路１９の出力は衝突検出手段１３などの電装品制御手段の動作電圧以上を維持することとなる。
【００２０】
ここで、第１の制御状態のバッテリー１１が入力端１６および衝突検出手段１３やドアロック解除スイッチ１４に接続状態である正常な場合とは、比較制御部２２によってバッテリー１１が入力端１６および衝突検出手段１３やドアロック解除スイッチ１４に接続状態であると判断された場合を意味している。また、第２の制御状態のバッテリー１１が入力端１６あるいは衝突検出手段１３やドアロック解除スイッチ１４に非接続状態となった非常時の場合とは、比較制御部２２によってバッテリー１１が入力端１６あるいは衝突検出手段１３やドアロック解除スイッチ１４と遮断された状態であると判断された場合を意味するものである。そして、接続状態と遮断状態との閾値は後にも述べるように、衝突検出手段１３などの電装品制御手段の動作電圧とし、この動作電圧よりもバッテリー１１から供給される電圧が高い場合は正常時とし、動作電圧よりもバッテリー１１から供給される電圧が低い場合は非常時として判断することが望ましい。
【００２１】
以上の構成により、車両が正常に動作している場合にバックアップ電力出力部２１では、バッテリー１１から電源接続部２３を通じて供給される電圧が放電回路１９の出力電圧よりも高く設定された状態となるため、加算ダイオード２０は逆バイアスの非導通状態となる。つまり、バックアップ電源装置１０と負荷となる衝突検出手段１３やモータ１５とは切り離された状態となる。よって、車両が正常に動作している間は上記の電圧の関係が満たされる限り、バックアップ電源装置１０は動作しないこととなる。そのため、バックアップ電源装置１０は大きな電力を消費することもなく、バックアップ電源装置１０を動作させるためにオルタネータ１２を動作させることがなくなり、これに対応したオルタネータ１２の動作に伴う車両のエンジン（図示せず）への負荷は生じないことで燃費の抑制が可能となるものである。
【００２２】
また一方で、車両の事故などによりバッテリー１１が遮断された場合にバックアップ電力出力部２１では、電源接続部２３から供給される電圧が無くなり、かつ、放電回路１９の出力電圧をバッテリー１１が正常であったときの電圧値を目標値として昇圧させるように、あるいは出力電圧が衝突検出手段１３をはじめとする制御用電装品の動作電圧以上であることを維持されるように放電回路１９を動作させている。このため、加算ダイオード２０は順バイアスの導通状態となり、つまり、バックアップ電源装置１０から衝突検出手段１３およびモータ１５へは電源供給が可能な状態となる。
【００２３】
このとき同時に、衝突検出手段１３は車両の事故を感知しているためドアロック解除スイッチ１４を接続させることとなる。このため、バックアップ電源装置１０からの電力によってモータ１５が駆動されてドアロック（図示せず）が解除されることとなる。よって、バックアップ電源装置１０による安全のための動作は確保できることとなる。
【００２４】
ここで、バッテリー１１の電圧やバッテリー１１のバックアップ電源装置１０や衝突検出手段１３への接続状態および放電回路１９の出力電圧の検出、ならびに放電回路１９への昇圧動作に関する制御はすべて比較制御部２２によって行われることとなる。そしてこの動作を行うにあたって、車両の正常状態ではバッテリー１１および放電回路１９の双方から比較制御部２２は電源供給を受けるため安定した動作が可能となるものである。また、この比較制御部２２は衝突検出手段１３から独立したものであり、信号を受けての比較処理および放電回路１９への制御信号の発信という限定された処理を行う素子あるいは回路や装置であることから、衝突検出手段１３などの制御用電装品に比較して電力消費は非常に小さなものとなる。このため、比較制御部２２は車両の事故による非常時には放電回路１９から動作のための電源供給を受けるものの、電気二重層コンデンサ１７へ蓄電した電力に及ぼす影響は極めて限定できるもので、このときもまた安定した動作が持続して可能となるものである。
【００２５】
また、比較制御部２２が安定して動作する事で、車両の事故によりバッテリー１１を喪失して電源接続部２３からの電源供給が途絶えても、放電回路１９から加算ダイオード２０およびバックアップ電力出力部２１を介して衝突検出手段１３への電源供給も限られた期間ではあるものの事故の前から連続および継続して可能となり、車両全体の非常時における衝突検出手段１３などの制御用電装品の動作を可能とするものである。
【００２６】
ここでは、車両の事故などによりバッテリー１１が遮断された際に、放電回路１９の出力電圧を昇圧させるよう放電回路１９を動作させることとしている。しかしながらこの動作に関しては、バッテリー１１が正常な接続状態であったときの放電回路１９の出力電圧そのままとして、非常時に放電回路１９の出力電圧をバッテリー１１の当初電圧値まで昇圧させない形態としても構わない。当然ながらこのときも、バッテリー１１が正常な接続状態であったときの電圧値よりも放電回路１９の出力電圧を低くしている。
【００２７】
例えば、このときの動作を図２のタイミングチャートを用いて説明する。ここでは図１に示すバックアップ電源装置１０の放電回路１９の出力電圧を図２に示すバックアップ電圧ＶＢ０とし、また、図１に示すバッテリー１１の電圧を図２に示すバッテリー電圧ＶＢ１とし、車両の動作時におけるそれぞれの値の変動を示している。
【００２８】
ここでは先に述べたように、図１に示すバッテリー１１が正常に接続された状態では、図２に示すバッテリー電圧ＶＢ１に対してバックアップ電圧ＶＢ０は常に一定の電位差を維持させたうえで低くなるように制御されている。
【００２９】
つまり、ヘッドライトやワイパーなどの負荷の接続を行うことによりバッテリー電圧ＶＢ１は、その時々で変動して曲線を描くこととなる。これに対してバックアップ電圧ＶＢ０はバッテリー電圧ＶＢ１をそのままの曲線で低電圧側にシフトさせた状態で制御されていることとなる。実際には、バッテリー電圧ＶＢ０はバックアップ電圧ＶＢ１に対して演算の時間相当の遅れを持った曲線となっているが、この遅れの時間に比較してバッテリー電圧ＶＢ１の時間に伴う変化の度合いは非常に緩やかなものとなっている。したがって、演算による時間の遅れに関してここでは特に問題とする必要はなく、バッテリー電圧ＶＢ１の変化に対してバックアップ電圧ＶＢ０は即座に反応しているとみなして構わない。
【００３０】
このとき、バックアップ電流ＩＢ０は流れることがなく、図１に示す放電回路１９はバックアップ電力出力部２１からは衝突検出手段１３やモータ１５へは電力の供給は行われていないものの、放電回路１９の出力側には所定の電圧が生じている状態の待機状態となっている。車両が通常の動作をしている際にはバックアップ電源装置１０としては常にこの状態となっている。
【００３１】
当然ながら、放電回路１９を構成しているスイッチング素子（図示せず）は待機時においてもスイッチング動作を行い、スイッチング動作のための電力は比較制御部２２を通じて電気二重層コンデンサ１７から供給していることとなる。この消費電力もまた、衝突検出手段１３やモータ１５で必要となる電力に比較して非常に小さいため、電気二重層コンデンサ１７へ蓄電した電力に及ぼす影響は極めて限定できるものとなる。またあるいはこの電力をオルタネータ１２によって補う形で供給しても、それは非常に小さな電力に相当するため車両の燃費の劣化は殆ど生じないこととなる。
【００３２】
そして、バッテリー電圧ＶＢ１が「車両の事故」などにより電圧が所定の閾値を超越して低下した場合、つまり、図１に示すバッテリー１１が接続されていた状態から、バッテリー１１が失われた状態へと移行する場合に、比較制御部２２は図２に示すバッテリー電圧ＶＢ１とバックアップ電圧ＶＢ０との間での定電位差を維持する制御を停止することとなる。つまり、バッテリー電圧ＶＢ１が閾値を超越して低下した場合には、バックアップ電圧ＶＢ０はバッテリー電圧ＶＢ１への追従を断ち、それとともにバッテリー電圧ＶＢ１が閾値を超越して低下する前におけるバックアップ電圧ＶＢ０を維持することとなる。
【００３３】
これは図２におけるＡのタイミングに相当し、バッテリー電圧ＶＢ１は低下する一方で、バックアップ電圧ＶＢ０は直前の出力電圧を維持する、あるいは直前の出力電圧をさらに昇圧することとなる。
【００３４】
したがって、図１に示す放電回路１９の出力電圧が、電源接続部２３の電圧よりも高くなり、結果として加算ダイオード２０が順バイアスとなる。これにより、ドアロック解除スイッチ１４や衝突検出手段１３をはじめとする制御用電装品へとバックアップ電源装置１０から電力が供給されることとなり、図２に示すバックアップ電流ＩＢ０がこの時点で流れ始めることとなる。
【００３５】
ここで、車両における初期の設定として、バッテリー電圧ＶＢ１は正常に接続されている状態において、ＶＣを下回ることはないように設定している。このＶＣとは図１に示す衝突検出手段１３をはじめとする制御用電装品を動作させるための下限値である動作電圧や、あるいはバッテリー１１が正常に接続されている状態でその電圧が低下する可能性のある下限電圧とすればよい。
【００３６】
この一方で、バックアップ電圧ＶＢ０は動作電圧ＶＣを下回るタイミングが存在しても構わない。
【００３７】
仮に、バッテリー電圧ＶＢ１が失われた際にバックアップ電圧ＶＢ０が動作電圧ＶＣよりも低ければ、バックアップ電圧ＶＢ０を更に昇圧させる動作が図１の放電回路１９において比較制御部２２からの指示により行われることとなる。そして、その昇圧後の電圧の目標値としては図２に示す動作電圧ＶＣ以上であればバックアップ電源としての動作上問題は無い。
【００３８】
また、バッテリー電圧ＶＢ１が失われた際にバックアップ電圧ＶＢ０が動作電圧ＶＣよりも高ければ、その時点でのバックアップ電圧ＶＢ０そのままの電圧を出力させて図２に示す放電回路１９においての更なる昇圧の動作を行わなくても構わない。
【００３９】
ここでの放電回路１９における昇圧動作と、加算ダイオード２０が順バイアスとなるタイミングとはほぼ同時に行われるため、実用上ではバッテリー１１の電圧が予め決定した閾値電圧以下へと低下した際には、即座にバックアップ電力出力部２１からは当該閾値以上の電圧が出力されるものとして構わない。
【００４０】
よって、定常状態である第１の制御状態と、バッテリー１１が存在しなくなる非常時の第２の制御状態とのバッテリー１１の電圧を基準とした境界としては、その閾値として図２に示した動作電圧ＶＣであるところの図１に示す衝突検出手段１３などの動作下限値を用いること、あるいはそれを基準として用いることが望ましい。これにより、事故時における図２に示したバックアップ電圧ＶＢ０からの更なる昇圧はＢの期間を除いては必須とならないため、応答の速いバックアップ電圧の供給が可能となる。
【００４１】
またあるいは、図１に示す放電回路１９の出力電圧は図２における破線で示したＶＢ２のように時間に関係なく待機状態において一定電圧値としたものでも構わない。この場合、ＶＢ２の値は頻繁にバックアップ電流ＩＢ０が流れないようにＶＣよりも低い値として設定するとともに、ＶＢ１がＶＣを超越して低下した場合には必ずＶＢ２からＶＣ以上の電圧値へと昇圧動作を行うように図１に示す放電回路１９を比較制御部２２によって制御すればよい。この動作の場合は比較制御部２２における電圧の基準値はＶＣのみを扱うこととなるため容易な演算ができればよく、非常に簡単な構成とすることができる。
【００４２】
以上のように、先にも述べたようにバッテリー１１の電圧が閾値を超えて大きく低下した非常時を除いては、つまりバッテリー１１と電力を受ける側との接続が遮断されたと判断したとき以外には、バックアップ電源装置１０を動作させることはなく、車両の燃料効率の低下を招くことはない。特に、アイドリングストップの機能を有する車両の場合は、図２に示すバッテリー電圧ＶＢ１の変動が大きく生じ易いため、図１に示すバックアップ電源装置１０を適用することによる燃料効率の改善は大幅なものとなる。
【００４３】
ここで、待機時の電圧としては図２に示すバックアップ電圧ＶＢ０の最低の電圧値が０（Ｖ）に達するまで低下することは無いことが昇圧動作を始めるにあたっての条件であるため、この点を基準としてバッテリー電圧ＶＢ１とバックアップ電圧ＶＢ０との電位差を決定することが望ましい。
【００４４】
これにより、必要以上にバックアップ電源装置１０が動作することに伴う車両の燃料消費を抑制することが可能となり、かつ、電圧を基準として非常時であるとの状態となった際には必要な電力をバックアップ電源装置１０から電力を必要とする負荷へ供給することができるものである。
【００４５】
またここで重要なのは、比較制御部２２は放電回路１９の待機時における電圧設定の指示は行うものの、非常時においてのバックアップ電源装置１０からの電力は正常時における電位差に基づいた加算ダイオード２０による切り替えで行われることである。つまり、バックアップ電源装置１０においては非常時における「車両の事故」という情報に基づいたスイッチ素子などによるスイッチ動作ではなくダイオードの両端の電位に基づく導体路の切り替え動作としたうえで電力供給のステップが進められることで、高い信頼性を維持できるという点でもある。
【００４６】
ここで説明したバックアップ電源装置１０では、バッテリー１１が通常状態であるか非常状態であるのか、またバッテリー１１が接続された状態であるか遮断された状態であるかは、放電回路１９の出力電圧と入力端１６の電圧とを比較制御部２２にて検出することで判断している。この判断の検出対象としては、放電回路１９の出力電圧とバックアップ電力出力部２１の電圧としても構わない。入力端１６およびバックアップ電力出力部２１は共にバッテリー１１に直接接続されているため、動作としてはこれまでに説明したものと同様となる。
【００４７】
以上の実施例においては、バックアップ電源装置１０からの非常用電力出力をドアロック解除用出力として説明したが、バックアップ電源装置１０の用途としてはこれに限ったものではない。非常用電力出力については例えば、車内の搭乗者が安全に保護されるべき方向へパワーシート（図示せず）を移動させるための電力として、また、車内に搭乗者が閉じ込められないようにパワーウインドウ（図示せず）を開放状態とさせるための電力として、あるいは車両に事故が生じた際にＧＰＳ位置情報の発信をさせるための電力として適用し、これらの非常用装置に接続するための非常時用スイッチを設けることで電力を供給し、さらにはこれらを複数組み合わせた動作をさせるための電力として適用しても構わない。
【００４８】
また、以上に述べた作用効果に加え、本発明のバックアップ電源装置１０は衝突検出手段１３とは独立した制御によって動作させているため、バッテリー１１と衝突検出手段１３との間に接続配置することで容易に車両全体における非常用電源として動作させることができる。よって、車両における非常用電源に対する複雑な配線や、非常用電源を動作させることを目的としたリレーなどのデバイスを配置する必要がなく、車両に対する設計や配置の自由度を高めることを可能とするものでもある。
【産業上の利用可能性】
【００４９】
本発明のバックアップ電源装置は、バックアップ電源における不必要な電力消費を抑制することで車両の燃料効率を向上させる効果を有し、各種車両において有用である。
【符号の説明】
【００５０】
１０  バックアップ電源装置
１１  バッテリー
１２  オルタネータ
１３  衝突検出手段
１４  ドアロック解除スイッチ
１５  モータ
１６  入力端
１７  電気二重層コンデンサ
１８  充電回路
１９  放電回路
２０  加算ダイオード
２１  バックアップ電力出力部
２２  比較制御部
２３  電源接続部
【図１】
2014033533.tif 000003
【図２】
2014033533.tif 000004
【図３】
2014033533.tif 000005
【図４】
2014033533.tif 000006